(57)【要約】【課題】本発明は、券にチェックコードを印刷あるいは記録して発券する発券システムおよび発券方法に関し、くじ券などの券の発券時に発券端末機およびセンタの両者でそれぞれ一意のコードを採番して当該くじ券に印刷、記録して発売し、払い戻し時に両者でコードをそれぞれチェックし、セキュリティの向上を図ることを目的とする。【解決手段】発券要求が入力されたときに、当該発券要求のあった端末の情報および発券要求された情報をもとに端末シークレットコードを生成してセンタに送信する手段と、センタで送信した端末シークレットコードをもとに生成されたセンタ券面ＩＤおよびセンタで生成されたセンタシークレットコードを受信する手段と、受信したセンタシークレットコードをもとに端末券面ＩＤを生成する手段と、受信したセンタ券面ＩＤおよび生成した端末券面ＩＤ、および発券する内容を印刷あるいは記録する手段とを備える発券システムおよび発券方法である。【選択図】  図１
2004152211.tif 000002
【特許請求の範囲】
【請求項１】
券にチェックコードを印刷あるいは記録して発券する発券システムにおいて、
発券要求が入力されたときに、当該発券要求のあった端末の情報および発券要求された情報をもとに端末シークレットコードを生成してセンタに送信する手段と、
センタで前記送信した端末シークレットコードをもとに生成されたセンタ券面ＩＤおよびセンタで生成されたセンタシークレットコードを受信する手段と、
前記受信したセンタシークレットコードをもとに端末券面ＩＤを生成する手段と、
前記受信したセンタ券面ＩＤおよび前記生成した端末券面ＩＤ、および発券する内容を印刷あるいは記録する手段と
を備えたことを特徴とする発券システム。
【請求項２】
払い戻し要求が入力されたときに、券から端末券面ＩＤ、センタ券面ＩＤおよび券の内容を読み取る手段と、
前記読み取ったセンタ券面ＩＤをチェックする手段と、
前記読み取った端末券面ＩＤおよび券の内容をセンタに送信し、センタで当該端末券面ＩＤをチェックしてＯＫかつ的中の有無を受信する手段と、
前記チェックが全てＯＫかつ的中と判明したときに払い戻しする手段と
を備えたことを特徴とする発券システム。
【請求項３】
券にチェックコードを印刷あるいは記録して発券する発券方法において、
発券要求が入力されたときに、当該発券要求のあった端末の情報および発券要求された情報をもとに端末シークレットコードを生成してセンタに送信するステップと、
センタで前記送信した端末シークレットコードをもとに生成されたセンタ券面ＩＤおよびセンタで生成されたセンタシークレットコードを受信するステップと、
前記受信したセンタシークレットコードをもとに端末券面ＩＤを生成するステップと、
前記受信したセンタ券面ＩＤおよび前記生成した端末券面ＩＤ、および発券する内容を印刷あるいは記録するステップと
を有する発券方法。
【発明の詳細な説明】
【０００１】
【発明の属する技術分野】
本発明は、券にチェックコードを印刷あるいは記録して発券する発券システムおよび発券方法に関するものである。
【０００２】
【従来の技術】
従来、くじ券などの券を発券する場合、発券端末機が顧客からのくじ券の購入要求に対して、当該発券端末機あるいはセンタが一意のコードを採番し、くじ券に印刷あるいは記録して発券する。そして、払い戻し時に当該一意のくじ券に印刷あるいは記録されているコードを読み出し、販売データと比較して当該コードが販売済みかつ未払いとセンタで照合して判明したときに戻していた。
【０００３】
また、偽造防止用の第１の秘密コードと、第２の秘密コードとを生成し、券に印刷し、払戻時に自動チェックあるいは目視チェックのいずれでも可能にする技術がある（特許文献１）。
【０００４】
【特許文献１】
特開昭５７−４５６５号公報の特許請求の範囲および第１図とその説明参照。
【０００５】
【発明が解決しようとする課題】
従来の上述した前者のようにくじ券に印刷、記録する一意のコードを発券端末機あるいはセンタで採番していたため、採番する発券端末機あるいはセンタの一方で不正に採番して発券してしまう可能性があり、セキュリティが低いという問題があった。
【０００６】
また、後者の自動チェックあるいは目視チェックのための秘密コードをそれぞれ券面に印刷し、払戻時に自動チェックあるいは目視チェックでチェックＯＫとなったときに払い戻したのでは、上記前者と同様に、センタの一方で不正に第１、第２の秘密コードを採番して印刷し発券してしまう可能性があり、セキュリティが低いという問題があった。
【０００７】
本発明は、これらの問題を解決するため、くじ券などの券の発券時に端末機およびセンタの両者でそれぞれ一意のコードを採番して当該くじ券に印刷、記録して発売し、払い戻し時に両者でコードをそれぞれチェックし、セキュリティの向上を図ることを目的としている。
【０００８】
【課題を解決するための手段】
図１を参照して課題を解決するための手段を説明する。
【０００９】
図１において、端末１は、くじ券３を発券するものであって、ここでは、端末券面ＩＤ作成手段１１、チェック手段１２、支払手段１３、印字手段１４などから構成されるものである。
【００１０】
端末券面ＩＤ作成手段１１は、端末シークレットコードを作成してセンタ２に送信したり、受信したセンタシークレットコードをもとに端末券面ＩＤを作成したりなどするものである。
【００１１】
チェック手段１２は、払い戻し要求のあったくじ券３のセンタ券面ＩＤなどのチェックを行うものである。
【００１２】
支払手段１３は、チェックがＯＫかつ的中のときに払い戻しするものである。
印字手段１４は、くじ券３を印字するものである。
【００１３】
センタ２は、くじ券３の発券依頼に対応して当該くじ券３の発券を許可したりなどするものであって、ここでは、センタ券面ＩＤ作成手段２１、チェック手段２２などから構成されるものである。
【００１４】
センタ券面ＩＤ作成手段２１は、受信した端末シークレットコードをもとにセンタ券面ＩＤを作成したり、センタシークレットコードを作成して端末１に送信したりなどするものである。
【００１５】
チェック手段２２は、払い戻し要求の通知のあったくじ券３の端末券面ＩＤなどのチェックを行うものである。
【００１６】
次に、動作を説明する。
端末１の端末券面ＩＤ作成手段１１が発券要求が入力されたときに、発券要求のあった当該端末１の情報および発券要求された情報をもとに端末シークレットコードを生成してセンタ２に送信し、センタ２のセンタ券面ＩＤ作成手段２１が受信した端末シークレットコードをもとにセンタ券面ＩＤを生成すると共にセンタシークレットコードを生成してこれらを端末１に送信し、端末１の端末券面ＩＤ作成手段１１が受信したセンタシークレットコードをもとに端末券面ＩＤを生成し、印字手段１４が受信したセンタ券面ＩＤおよび生成した端末券面ＩＤ、および発券する内容をくじ券３に印刷して排出し、顧客に渡すようにしている。
【００１７】
また、端末１が払い戻し要求が入力されたときに、くじ券３から端末券面ＩＤ、センタ券面ＩＤおよび券の内容を読み取り、チェック手段１２が読み取ったセンタ券面ＩＤをチェックしてＯＫのときに全データをセンタ２に送信し、センタ２のチェック手段２２が受信した端末券面ＩＤのチェックを行うと共に的中の有無を判定し、これらチェック結果および的中有無を端末１に送信し、端末１の支払手段１３が端末券面ＩＤのチェック結果がＯＫかつ的中と判明したときに払戻金を排出して支払うようにしている。
【００１８】
これらの際、端末シークレットコードは、発券要求された端末１の端末ＩＤと発券要求された券の内容、あるいはくじ券３に印刷、記録されている端末ＩＤと券の内容をもとに一意に作成するようにしている。
【００１９】
また、端末券面ＩＤは、センタシークレットコードと端末ＩＤをもとに一意に生成するようにしている。
【００２０】
また、センタシークレットコードは、券の内容をもとに一意に作成するようにしている。
【００２１】
また、センタ券面ＩＤは、端末シークレットコードと端末に付与した番号とをもとに一意に生成するようにしている。
【００２２】
従って、くじ券３などの発券時に端末機１およびセンタ２の両者でそれぞれ一意のコードを採番してくじ券３に印刷、記録して発売し、払い戻し時に両者でコードをそれぞれチェックすることにより、セキュリティの向上を図ることが可能となる。
【００２３】
【発明の実施の形態】
次に、図１から図５を用いて本発明の実施の形態および動作を順次詳細に説明する。
【００２４】
図１は、本発明のシステム構成図を示す。
図１において、端末１は、くじ券３を発券する発券端末機などであって、ここでは、端末券面ＩＤ作成手段１１、チェック手段１２、支払手段１３、印字手段１４などから構成されるものである。
【００２５】
端末券面ＩＤ作成手段１１は、端末１の情報および発券要求された情報をもとに端末シークレットコードを作成してセンタ２に送信したり、受信したセンタシークレットコードをもとに端末券面ＩＤを作成したりなどするものである（図２から図５参照）。
【００２６】
チェック手段１２は、払い戻し要求のあったくじ券３のセンタ券面ＩＤなどのチェックを行うものである（図５参照）。
【００２７】
支払手段１３は、チェックがＯＫかつ的中のときに払い戻しするものである（図５参照）。
【００２８】
印字手段１４は、くじ券３を印字するものである（図２、図３参照）。
センタ２は、くじ券３の発券依頼に対応して当該くじ券３の発券を許可したりなどするものであって、ここでは、センタ券面ＩＤ作成手段２１、チェック手段２２、的中手段２３、連番管理テーブル２４、ログテーブル２５、的中テーブル２６などから構成されるものである。
【００２９】
センタ券面ＩＤ作成手段２１は、受信した端末シークレットコードをもとにセンタ券面ＩＤを作成したり、センタシークレットコードを作成して端末１に送信したりなどするものである（図２から図５参照）。
【００３０】
チェック手段２２は、払い戻し要求の通知のあったくじ券３の端末券面ＩＤなどのチェックを行うものである（図５参照）。
【００３１】
的中手段２３は、くじ券３が的中か否かを判定するものである（図４、図５参照）。
【００３２】
連番管理テーブル２４は、端末毎にくじ券３を発券した番号（連番）を管理するものである（図４の（ａ）参照）。
【００３３】
ログテーブル２５は、くじ券３の発券状態を管理するものであって、ここでは、センタ券面ＩＤに対応づけて申込数字などを登録して管理するものである（図４の（ｂ）参照）。
【００３４】
的中テーブル２６は、くじ券３の的中した申込数字などを登録して管理するものである（図４の（ｃ）参照）。
【００３５】
くじ券３は、端末１が発券したくじ券である。
ネットワーク４は、センタ２と多数の端末１とを接続して相互に通信するものである。
【００３６】
次に、図２のフローチャートの順番に従い、図１の構成の発券時の動作を詳細に説明する。
【００３７】
図２は、本発明の動作説明フローチャート（発券）を示す。図中のセンタ２、発券端末機１は、図１のセンタ２、端末１に対応するものである。
【００３８】
図２において、Ｓ１は、マークカードに記入する。
Ｓ２は、挿入する。これらＳ１、Ｓ２は、顧客がマークカード上の任意の数字をチェックなどして記入し、発券端末機１の挿入口に挿入し、くじ券３の発券要求を行う。
【００３９】
Ｓ３は、カード情報を読み込む。これは、Ｓ２で挿入されたマークカードに記入されたくじ券の発券に必要な情報（カード情報）を読み込む。
【００４０】
Ｓ４は、端末シークレットコードを作成する。これは、端末券面ＩＤ作成手段１１がチケットロール番号と、当該発券端末機１の端末ＩＤをもとに一意の端末シークレットコードを作成する。
【００４１】
Ｓ５は、センタ１が発券端末機１から送信された端末ＩＤ、端末シークレットコード、カード情報を受信する。
【００４２】
Ｓ６は、端末固有の連番を作成する。これは、後述する図４の（ａ）の連番管理テーブル２４に登録されている端末ＩＤに対応する連番（最新）をもとに一意の当該端末の連番を作成する。
【００４３】
Ｓ７は、連番と端末シークレットコードをもとにセンタ券面ＩＤを採番する。これは、センタ券面ＩＤ作成手段２１が発券端末機１から受信した端末シークレットコードと、当該発券端末機１に付与した連番とをもとにセンタ券面ＩＤを作成、例えば端末シークレットコードに連番を乗算（あるいは一定数式で演算）してセンタ券面ＩＤを作成する。
【００４４】
Ｓ８は、ゲーム毎に全体で一意のセンタシークレットコードを作成する。例えばゲーム種類と回号をもとに、ゲーム毎に全体で一意のセンタシークレットコードを作成する。
【００４５】
Ｓ９は、送信する。これは、Ｓ７で作成したセンタ券面ＩＤ，Ｓ８で作成したセンタシークレットコードを発券端末機１に返送する。
【００４６】
Ｓ１０は、発券端末機１がセンタ券面ＩＤおよびセンタシークレットコードを受信する。
【００４７】
Ｓ１１は、端末ＩＤとセンタシークレットコードをもとに採番（端末券面ＩＤ）する。例えばセンタシークレットコードと端末ＩＤとを乗算（あるいは所定の数式で演算）して端末券面ＩＤを作成する。
【００４８】
Ｓ１２は、画面に表示する。これは、顧客がマークシート上に記入した内容などを画面に表示、例えば後述する図３のくじ券３に示すように表示する。そして、顧客は、購入しようとするくじ券３の内容を確認などする。
【００４９】
Ｓ１３は、カード情報とセンタ券面ＩＤと端末券面ＩＤおよび端末、ゲーム情報を印刷する。例えば図３のくじ券３のように印刷する。
【００５０】
Ｓ１４は、くじ券を排出する。
以上によって、顧客が発券端末機１にマークカードに記入してくじ券３の発券を要求すると、発券端末機１はカード情報を読み込んで端末ＩＤ，チケットロール番号などをもとに一意の端末シークレットコードを作成し、端末ＩＤ，端末シークレットコード、カード情報をセンタ２に送信し、センタ２では、発券端末機１に固有の連番を作成し、当該連番と受信した端末シークレットコードをもとに一意のセンタ券面ＩＤを作成、およびゲーム毎に全体で一意のセンタシークレットコードを作成し、センタ券面ＩＤ，センタシークレットコードを発券端末機１に返送し、発券端末機１では、受信したセンタシークレットコードと端末ＩＤをもとに一意の端末券面ＩＤを作成し、カード情報、センタ券面ＩＤ，端末券面ＩＤ、端末ＩＤ，ゲーム情報をくじ券３に印字して排出し、顧客に発券することが可能となる。
【００５１】
図３は、本発明のくじ券３の例を示す。ここでは、くじ券３は、図示の下記の情報を印刷したものである。
【００５２】
・ゲーム名：例えば”××ゲーム”
・回号    ：例えば”第××回”
・申込情報：
・申込数字と申込円：例えば”１２３４５”  ２００円
・申込数字と申込円：例えば”１２３４６”  ２００円
・・・・
・センタ券面ＩＤ：例えば”××××−××××”
・端末券面ＩＤ  ：例えば”××××−××××”
・端末のゲーム情報：：例えば”××××”
（端末ＩＤ、チケットロール番号など）
・その他：
ここで、ゲーム名は顧客が発券要求したゲーム名である。回号は顧客が発券要求したゲーム名の回号（第××回）である。申込情報は、顧客が的中となるとして申し出た数字の組み合わせであって、ここでは、５個まで選択して申込みできる。センタ券面ＩＤは、センタ２で端末シークレットコードをもとに一意かつシークレットに作成したセンタ券面ＩＤ（既述した図２のＳ７）である。端末券面ＩＤは発券端末機１がセンタシークレットコードをもとに一意かつシークレットに作成した端末券面ＩＤ（図２のＳ１１）である。端末のゲーム情報は、顧客が発券要求したゲーム名、回号、更に、当該くじ券３の紙に付与されている一意のチケットロール番号であって、これによりくじ券３を一意に識別できる。
【００５３】
図４は、本発明のテーブル例を示す。
図４の（ａ）は、連番管理テーブル例を示す。連番管理テーブル２４は、端末毎にくじ券３を発券した連続した番号であって、ここでは、図示の下記の情報を対応づけて登録して管理するものである。
【００５４】
・端末ＩＤ：
・連番（最新）：
・その他：
ここで、端末ＩＤは発券要求した端末（発券端末機）１に付与した一意のＩＤである。連番（最新）は端末ＩＤ毎に発券した連番の最新の番号である。
【００５５】
以上のように、端末ＩＤに対応づけて連番（最新）を連番管理テーブル２４に登録して管理することにより、くじ券３の発券要求がセンタ２に通知されたときに、該当端末ＩＤの連番（最新）を読み出して次の番号を当該端末ＩＤの連番として採番すると共に連番管理テーブル２４の連番（最新）を更新することにより、端末ＩＤ毎に常に一意の連番を採番することが可能となる。
【００５６】
図４の（ｂ）は、ログテーブル例を示す。ログテーブル２５は、センタ１がくじ券３の発券を許可する毎にその発券したくじ券３に対して生成したセンタ券面ＩＤ（既述した図２のＳ７）に対応づけて申込数字（最大５個）を登録して管理する。
【００５７】
図４の（ｃ）は、的中テーブル例を示す。的中テーブル２６は、くじ券３の当選が決定されたときに、図４の（ｂ）のログテーブル２５中から当たりのくじ券３（申込数字が的中したもの）を抽出して登録したものである。
【００５８】
次に、図５のフローチャートの順番に従い、図１の構成のくじ券３の払い戻し時の動作を詳細に説明する。
【００５９】
図５は、本発明の動作説明フローチャート（払戻）を示す。ここで、センタ２、発券端末機１は、図１のセンタ２、端末１に相当する。
【００６０】
図５において、Ｓ２１は、くじ券を挿入する。
Ｓ２２は、端末、ゲーム情報を読み込み、端末シークレットコードを作成する。これは、発券端末機１の端末券面ＩＤ作成手段１１がくじ券３から読み取った端末情報中の端末ＩＤ、チケットロール番号をもとに端末シークレットコードを作成（再生）する。
【００６１】
Ｓ２３は、端末シークレットコードをもとにチェックＯＫか判別する。これは、Ｓ２２で作成した端末シークレットコードで、くじ券３から読み取ったセンタ券面ＩＤを除算してその商が整数でＯＫか（あるいは所定式で演算してチェックがＯＫか）判別する。ＯＫの場合には、全データをセンタ２に送信する。一方、ＮＧの場合には、Ｓ２４で発券端末機１でエラーメッセージを表示し、終了する。
【００６２】
Ｓ２５は、Ｓ２３で発券端末機１から送信された全データ（くじ券３から読み取ったデータ、発券端末機１でチェックＯＫの旨）を受信する。
【００６３】
Ｓ２６は、受信したゲーム種類と回号をもとにセンタシークレットコードを作成（再生）する。
【００６４】
Ｓ２７は、センタシークレットコードをもとにチェックＯＫか判別する。これは、Ｓ２６で作成したセンタシークレットコードで、くじ券３から読み取った端末券面ＩＤを除算してしてその商が整数でＯＫか（あるいは所定式で演算してチェックがＯＫか）判別する。ＯＫの場合には、Ｓ２８に進む。ＮＧの場合には、ＮＧの旨を発券端末機１に送信し、Ｓ２４で発券端末機１でエラーメッセージを表示し、終了する。
【００６５】
Ｓ２８は、的中テーブルを検索し、当選か判別する。ＹＥＳの場合には、Ｓ２９で払戻金を算出し、Ｓ３０でチェックＯＫの旨および的中してその払戻金の情報を、発券端末機１に送信する。一方、Ｓ２８のＮＯの場合には、Ｓ３０でチェックＯＫであるが的中していない旨を、発券端末機１に送信する。
【００６６】
Ｓ３１は、発券端末機１が受信した払戻金、あるいははずれを表示する。
Ｓ３２は、Ｓ３１で払戻金を表示した場合には、払戻金を顧客に渡し、はずれのときははずれのくじ券３を顧客に返却する。
【００６７】
以上によって、顧客がくじ券３を発券端末機１に挿入すると、くじ券３から読み取ったカード情報中の端末ＩＤ，ゲーム情報などをもとに端末シークレットコードを再生し、当該再生した端末シークレットコードでカード情報中のセンタ券面ＩＤを除算して商が整数でチェックＯＫか（あるいは所定式で演算してチェックＯＫか）判別し、ＯＫのときにカード情報をセンタ２に送信し、センタ１では、カード情報中のゲーム種類と回数をもとにセンタシークレットコードを再生し、カード情報中の端末券面ＩＤを除算して商が整数でＯＫか（あるいは所定式で演算してチェックＯＫか）判別し、ＯＫのときに的中テーブル２６を参照して的中していたときに払戻金を算出し、発券端末機１に返送し、くじ券３の当たりのときは払戻金を表示して払戻し、くじ券３がはずれのときはその旨を表示してはずれのくじ券３を返却することが可能となる。この際、くじ券３から読み取ったゲーム情報をもとに
・発券端末機１では。端末シークレットコードを再生してセンタ券面ＩＤを除算してチェックし、更に、
、・センタ２では、センタシークレットコードを再生して端末券面ＩＤを除算してチェックし、
両者のチェックがＯＫの場合に、的中したくじ券３について発券端末機１で払い戻し、発券端末機１およびセンタ２でそれぞれ個別にチェックして真正のくじ券３の場合にのみ払戻金を支払い、セキュリティを大幅に向上させることが可能となる。
【００６８】
（付記１）
券にチェックコードを印刷あるいは記録して発券する発券システムにおいて、発券要求が入力されたときに、当該発券要求のあった端末の情報および発券要求された情報をもとに端末シークレットコードを生成してセンタに送信する手段と、
センタで前記送信した端末シークレットコードをもとに生成されたセンタ券面ＩＤおよびセンタで生成されたセンタシークレットコードを受信する手段と、
前記受信したセンタシークレットコードをもとに端末券面ＩＤを生成する手段と、
前記受信したセンタ券面ＩＤおよび前記生成した端末券面ＩＤ、および発券する内容を印刷あるいは記録する手段と
を備えたことを特徴とする発券システム。
【００６９】
（付記２）
払い戻し要求が入力されたときに、券から端末券面ＩＤ、センタ券面ＩＤおよび券の内容を読み取る手段と、
前記読み取ったセンタ券面ＩＤをチェックする手段と、
前記読み取った端末券面ＩＤおよび券の内容をセンタに送信し、センタで当該端末券面ＩＤをチェックしてＯＫかつ的中の有無を受信する手段と、
前記チェックが全てＯＫかつ的中と判明したときに払い戻しする手段と
を備えたことを特徴とする発券システム。
【００７０】
（付記３）
前記端末シークレットコードは、発券要求された端末の端末ＩＤと発券要求された券の内容、あるいは券に印刷、記録されている端末ＩＤと券の内容をもとに一意に作成することを特徴とする付記１あるいは付記２記載の発券システム。
【００７１】
（付記４）
前記端末券面ＩＤは、前記センタシークレットコードと端末ＩＤをもとに一意に生成することを特徴とする付記１から付記３のいずれかに記載の発券システム。
【００７２】
（付記５）
前記センタシークレットコードは、券の内容をもとに一意に作成することを特徴とする付記１あるいは付記２記載の発券システム。
【００７３】
（付記６）
前記センタ券面ＩＤは、前記端末シークレットコードと当該端末に付与した番号とをもとに一意に生成することを特徴とする付記１、付記２および付記５のいずれかに記載の発券システム。
【００７４】
（付記７）
券にチェックコードを印刷あるいは記録して発券する発券方法において、
発券要求が入力されたときに、当該発券要求のあった端末の情報および発券要求された情報をもとに端末シークレットコードを生成してセンタに送信するステップと、
センタで前記送信した端末シークレットコードをもとに生成されたセンタ券面ＩＤおよびセンタで生成されたセンタシークレットコードを受信するステップと、
前記受信したセンタシークレットコードをもとに端末券面ＩＤを生成するステップと、
前記受信したセンタ券面ＩＤおよび前記生成した端末券面ＩＤ、および発券する内容を印刷あるいは記録するステップと
を有する発券方法。
【００７５】
（付記８）
払い戻し要求が入力されたときに、券から端末券面ＩＤ、センタ券面ＩＤおよび券の内容を読み取るステップと、
前記読み取ったセンタ券面ＩＤをチェックするステップと、
前記読み取った端末券面ＩＤおよび券の内容をセンタに送信し、センタで当該端末券面ＩＤをチェックしてＯＫかつ的中の有無を受信するステップと、
前記チェックが全てＯＫかつ的中と判明したときに払い戻しするステップと
を有する発券方法。
【００７６】
【発明の効果】
以上説明したように、本発明によれば、くじ券３などの発券時に端末機１およびセンタ２の両者でそれぞれ一意のコードを採番してくじ券３に印刷、記録して発売し、払い戻し時に両者でコードをそれぞれチェックする構成を採用しているため、くじ券３などの券の発券および払戻時に端末２およびセンタ１の両者で独立にコードを生成して当該くじ券３に印刷／記録、あるいはチェックすることが可能となり、セキュリティを大幅に向上させることができる。
【図面の簡単な説明】
【図１】本発明のシステム構成図である。
【図２】本発明の動作説明フローチャート（発券）である。
【図３】本発明のくじ券例である。
【図４】本発明のテーブル例である。
【図５】本発明の動作説明フローチャート（払戻）である。
【符号の説明】
１：端末（発券端末機）
１１：端末券面ＩＤ作成手段
１２：チェック手段
１３：支払手段
１４：印字手段
２：センタ
２１：センタ券面ＩＤ作成手段
２２：チェック手段
２３：的中手段
２４：連番管理テーブル
２５：ログテーブル
２６：的中テーブル
３：くじ券
４：ネットワーク
【図１】
2004152211.tif 000003
【図２】
2004152211.tif 000004
【図３】
2004152211.tif 000005
【図４】
2004152211.tif 000006
【図５】
2004152211.tif 000007